(57)【要約】【課題】ワークを覆うシートが破断し難いワーク搬送具を提供する。【解決手段】本発明のワーク搬送具１０は、略水平に延びるワーク９０が上方から嵌合される嵌合部３０を備え、シート８０が、嵌合部３０の上に敷かれてワーク９０により押し込まれる。嵌合部３０には、ワーク９０の端面９１Ｔ，９２Ｔに対向する第１位置決部４６と、ワーク９０の端部を側方から挟む１対の第２位置決部４２，４２とによりワーク９０の端部を三方から位置決めする第１と第２の端部位置決部３１，３２が備えられている。そして、第１と第２の端部位置決部３１，３２のうちワーク９０の端面９１Ｔ，９２Ｔとの対向部分の一部を陥没させて、シート８０を部分的に受容する第１及び第２の逃がし溝４３，４７が形成されている。【選択図】図１０
2020011761.tif 000002
【特許請求の範囲】
【請求項１】
略水平に延びかつ下方からシートで覆われるワークが上方から嵌合される嵌合部を備えたワーク搬送具において、
前記嵌合部には、前記ワークの端面に対向する第１位置決部と、前記ワークの端部を側方から挟む１対の第２位置決部とにより前記ワークの前記端部を三方から位置決めする端部位置決部が備えられ、
前記第１位置決部の一部を陥没させるか又は除去して、前記シートを部分的に受容する第１逃がし部が形成されているワーク搬送具。
【請求項２】
前記第２位置決部のうち前記第１位置決部側の縁部を陥没させるか又は除去して、前記シートを部分的に受容する第２逃がし部が形成されている請求項１に記載のワーク搬送具。
【請求項３】
前記端部位置決部の底面を下方に湾曲させるか又は部分的に陥没させて、前記シートを部分的に受容する第３逃がし部が形成されている請求項１又は２に記載のワーク搬送具。
【請求項４】
前記第１逃がし部の上端は、前記嵌合部の上面に開口している請求項１乃至３の何れか１の請求項に記載のワーク搬送具。
【請求項５】
複数の前記嵌合部が一定ピッチで横並びに配置された区画エリアが、縦並びに複数設けられて、隣り合う前記区画エリア同士の境界線に沿って土手部が形成され、
前記土手部には、前記縦並び方向に貫通し、一端が他端より段付き状に幅狭となった複数の第１の貫通溝と、他端が一端より段付き状に幅狭になった複数の第２の貫通溝とが、前記一定ピッチの半分のピッチで交互に並べられ、
前記第１及び第２の貫通溝の幅広部と幅狭部との間の段差部で前記第１位置決部が構成されかつ、前記幅広部内の１対の対向部分で前記１対の第２位置決部が構成されかつ、前記幅狭部の間が前記第１逃がし部をなしている請求項１乃至４の何れか１の請求項に記載のワーク搬送具。
【請求項６】
ワーク搬送具全体が、上面開放の箱形容器構造をなして外縁部に側壁を有し、
前記側壁の内面から突出する側面突部に溝部が設けられ、
前記溝部内の１対の対向部分で前記１対の第２位置決部が構成されると共に、前記溝部の一端の前記側壁の内側面を陥没させて前記第１逃がし部が形成されている請求項１乃至５の何れか１の請求項に記載のワーク搬送具。
【発明の詳細な説明】
【技術分野】
【０００１】
本開示は、ワークが上方から嵌合される嵌合部を備えるワーク搬送具に関する。
【背景技術】
【０００２】
従来、この種のワーク搬送具として、シートが嵌合部の上に敷かれてワークにより嵌合部に押し込まれるものが知られている（例えば、特許文献１参照）。
【先行技術文献】
【特許文献】
【０００３】
【特許文献１】特開２０１８−１２５２７号公報（図４，図５）
【発明の概要】
【発明が解決しようとする課題】
【０００４】
しかしながら、上記した従来のワーク搬送具では、シートの一部にワークからの負荷が集中してシートが破断することがあり、シートが破断し難いワーク搬送具の開発が求められている。
【課題を解決するための手段】
【０００５】
上記課題を解決するためになされた請求項１の発明は、略水平に延びかつ下方からシートで覆われるワークが上方から嵌合される嵌合部を備えたワーク搬送具において、前記嵌合部には、前記ワークの端面に対向する第１位置決部と、前記ワークの端部を側方から挟む１対の第２位置決部とにより前記ワークの前記端部を三方から位置決めする端部位置決部が備えられ、前記第１位置決部の一部を陥没させるか又は除去して、前記シートを部分的に受容する第１逃がし部が形成されているワーク搬送具である。
【０００６】
請求項２の発明は、前記第２位置決部のうち前記第１位置決部側の縁部を陥没させるか又は除去して、前記シートを部分的に受容する第２逃がし部が形成されている請求項１に記載のワーク搬送具である。
【０００７】
請求項３の発明は、前記端部位置決部の底面を下方に湾曲させるか又は部分的に陥没させて、前記シートを部分的に受容する第３逃がし部が形成されている請求項１又は２に記載のワーク搬送具である。
【０００８】
請求項４の発明は、前記第１逃がし部の上端は、前記嵌合部の上面に開口している請求項１乃至３の何れか１の請求項に記載のワーク搬送具である。
【０００９】
請求項５の発明は、複数の前記嵌合部が一定ピッチで横並びに配置された区画エリアが、縦並びに複数設けられて、隣り合う前記区画エリア同士の境界線に沿って土手部が形成され、前記土手部には、前記縦並び方向に貫通し、一端が他端より段付き状に幅狭となった複数の第１の貫通溝と、他端が一端より段付き状に幅狭になった複数の第２の貫通溝とが、前記一定ピッチの半分のピッチで交互に並べられ、前記第１及び第２の貫通溝の幅広部と幅狭部との間の段差部で前記第１位置決部が構成されかつ、前記幅広部内の１対の対向部分で前記１対の第２位置決部が構成されかつ、前記幅狭部の間が前記第１逃がし部をなしている請求項１乃至４の何れか１の請求項に記載のワーク搬送具である。
【００１０】
請求項６の発明は、ワーク搬送具全体が、上面開放の箱形容器構造をなして外縁部に側壁を有し、前記側壁の内面から突出する側面突部に溝部が設けられ、前記溝部内の１対の対向部分で前記１対の第２位置決部が構成されると共に、前記溝部の一端の前記側壁の内側面を陥没させて前記第１逃がし部が形成されている請求項１乃至５の何れか１の請求項に記載のワーク搬送具である。
【発明の効果】
【００１１】
請求項１のワーク搬送具では、略水平に延びるワークの端面に第１位置決部が対向しかつ、ワークの端部を１対の第２位置決部が側方から挟むことで、ワークの端部が三方から位置決めされる。そして、第１位置決部の一部を陥没させるか又は除去して第１逃がし部が形成され、そこにシートの一部が緩く受容されるので、シートがワークと嵌合部の内面との間で動き易くなる。これにより、シートがワークの端面の角部によって押される負荷が緩和され、シートが破断し難くなる。
【００１２】
請求項２のワーク搬送具では、第２位置決部のうち第１位置決部側の縁部に形成された第２逃がし部にもシートの一部が緩く受容され、このことによってもシートがワークと嵌合部の内面との間で動き易くなり、シートが受ける負荷が緩和されて破断し難くなる。
【００１３】
請求項３のワーク搬送具では、ワークの下方の第３逃がし部にシートの一部が緩く受容されることでシートが受ける負荷が抑えられて破断し難くなる。しかも、第１逃がし部と第３逃がし部とが連通しているので、それらの間でシートが移動し易くなり、シートが受ける負荷が緩和される。
【００１４】
請求項４のワーク搬送具の第１逃がし部の上端は、嵌合部の上面に開口しているから、その開口からシートを上方に引き出して自由に取り廻すことができ、シートが受ける負荷が緩和される。
【００１５】
請求項５のワーク搬送具では、隣り合う区画エリアの間を仕切る土手部に、それら区画エリアの端部位置決部が交互に並べて形成されるのでワーク搬送具をコンパクトにすることができる。
【００１６】
請求項６のワーク搬送具では、全体が箱形容器構造をなし、その箱形容器構造の側壁に端部位置決部が一体に形成されるので、箱形容器構造のワーク搬送具をコンパクトにすることができる。
【図面の簡単な説明】
【００１７】
【図１】第１実施形態のワーク搬送具の上面側斜視図
【図２】そのワーク搬送具の下面側斜視図
【図３】ワークの斜視図
【図４】ワーク搬送具の平面図
【図５】スタッキング状態のワーク搬送具の斜視図
【図６】ネスティング状態のワーク搬送具の斜視図
【図７】スタッキング状態のワーク搬送具の側断面図
【図８】シートが敷かれた状態でワークを収容したワーク搬送具の斜視図
【図９】第１端部位置決部の一部拡大平面図
【図１０】第１端部位置決部の一部拡大斜視図
【図１１】第２端部位置決部の一部拡大平面図
【図１２】第２端部位置決部の一部拡大斜視図
【図１３】土手部の一部拡大平面図
【図１４】土手部の一部拡大斜視図
【図１５】ワーク搬送具の部分側断面図
【図１６】ワーク搬送具の部分側断面図
【図１７】第２実施形態のワーク搬送具の斜視図
【図１８】ワーク搬送具の平面図
【図１９】端部位置決部の一部拡大斜視図
【図２０】スタッキング状態のワーク搬送具の下面側斜視図
【発明を実施するための形態】
【００１８】
［第１実施形態］
以下、図１〜図１６に示されたワーク搬送具１０の第１実施形態について説明する。図１に示すようにワーク搬送具１０全体は、上面が開放した箱形構造をなし、第１水平方向Ｈ１で対向する１対の側壁１１，１１と、それと直交する第２水平方向Ｈ２で対向する１対の側壁１２，１２とを有する。また、ワーク搬送具１０の平面形状は、第１水平方向Ｈ１が第２水平方向Ｈ２より長い長方形になっている。
【００１９】
側壁１１，１２の上縁部全体からはフランジ１３が側方に張り出している。フランジ１３のうち長辺側の側壁１２から張り出している部分の上面には、ワーク搬送具１０の向きを確認するための矢印形状の刻印１３Ｍが付されている。また、刻印１３Ｍの矢印が指している側と反対側のフランジ１３の両角部には、面取り面１３Ｃが形成されている。なお、フランジ１３のうち短辺側の側壁１１から張り出している部分には、それらの中央部分の外縁部を切除して切欠部１３Ａが形成されている。
【００２０】
以下の説明において、側壁１１，１２を容易に区別するために、側壁１１を「短側壁１１」、側壁１２を「長側壁１２」ということとする。また、第１水平方向Ｈ１の一端側と他端側とを区別する場合には、刻印１３Ｍの矢印が指している側を「第１水平方向Ｈ１の前側」、その反対側を「第１水平方向Ｈ１の後側」ということとする。
【００２１】
ワーク搬送具１０内は、第１水平方向Ｈ１の中央位置に備えた土手部２０によってその土手部２０より前側の第１区画エリアＲ１と後側の第２区画エリアＲ２とに区画されている。土手部２０は、ワーク搬送具１０の底壁１４から突出しかつ、第２水平方向Ｈ２に延びて１対の長側壁１２，１２の間を連絡している。また、第１及び第２の各区画エリアＲ１，Ｒ２の第１水平方向Ｈ１の前寄り位置と後寄り位置とには、土手部２０より低い第１及び第２の支持土手部２１，２２が設けられて土手部２０と平行に延びている。さらに、それら第１及び第２の支持土手部２１，２２には、第２水平方向Ｈ２に一定ピッチで円弧溝状の第１及び第２の中間支持部３４，３５が形成されている。そして、図４に示すように、第１水平方向Ｈ１に延びる複数のワーク９０が、第１及び第２の各区画エリアＲ１，Ｒ２の第１及び第２の中間支持部３４，３５上に配置される。
【００２２】
図３に示すように、ワーク９０は、例えば、断面円形の金属部品であって、一端に最も外径が小さい第１端部９１を有する一方、他端に第１端部９１より外径が大きな第２端部９２を有する。また、ワーク９０の軸方向の中間部からはフランジ９３が側方に張り出し、フランジ９３より第１端部９１側に第２端部９２より外径が大きな第１中間軸部９４を有し、その反対側に第１中間軸部９４よりさらに外径が大きな第２中間軸部９５を有する。
【００２３】
図４に示すように第１と第２の区画エリアＲ１，Ｒ２には、複数のワーク９０を受容して位置決めする複数の嵌合部３０が備えられている。各嵌合部３０は、第１水平方向Ｈ１に並ぶ前述の第１及び第２の中間支持部３４，３５のペアと、短側壁１１と土手部２０とにおいて第１及び第２の中間支持部３４，３５のペアを結ぶ延長線上に位置する第１端部位置決部３１と第２端部位置決部３２とを備えてなる。そして、ワーク９０の第１端部９１が第１端部位置決部３１に嵌合する一方、第２端部９２が第２端部位置決部３２に嵌合し、第１中間軸部９４が第１中間支持部３４に下方から支持され、第２中間軸部９５が第２中間支持部３５に下方から支持される。
【００２４】
第１と第２の区画エリアＲ１，Ｒ２の何れの嵌合部３０も、ワーク９０の第１端部９１を第１水平方向Ｈ１の前側、第２端部９２を後側に配置した状態に位置決めする。そのために、第１水平方向Ｈ１の前側の短側壁１１に、複数の第１端部位置決部３１が一定ピッチを空けて形成される一方、第１水平方向Ｈ１の後側の短側壁１１に、複数の第２端部位置決部３２が一定ピッチを空けて形成されている。そして、土手部２０には、第２区画エリアＲ２の第１端部位置決部３１と第１区画エリアＲ１の第２端部位置決部３２とが一定ピッチの半分のピッチで交互に並べて形成されている。これら第１及び第２の端部位置決部３１，３２の構造については、後に詳説する。
【００２５】
本実施形態のワーク搬送具１０は、段積みする際に、下段側のワーク搬送具１０に対して上段側のワーク搬送具１０を１８０度旋回させるか否かによって、図５に示すように、上段側のワーク搬送具１０が、下段側のワーク搬送具１０に受容されないスタッキング状態と、図６に示すように、上段側のワーク搬送具１０が下段側のワーク搬送具１０に受容されるネスティング状態とに変更することができる。このようにスタッキング状態とネスティング状態とに変更可能な箱形のワーク搬送具は、一般に、Ｓ／Ｎコンテナと呼ばれる。以下、ワーク搬送具１０をスタッキング状態とネスティング状態とに変更可能とする構成について簡単に説明する。
【００２６】
図１に示すように、１対の長側壁１２，１２は、それらの両端部と中央部とに、側面凹凸部１８Ｆを備える。側面凹凸部１８Ｆは、内側面凹部１８と内側面突部１９とを隣り合わせてなり、内側面凹部１８は、内側面突部１９より第１水平方向Ｈ１の前側に位置する。また、内側面凹部１８は、長側壁１２の内側面を角溝状に陥没させてなり、長側壁１２の上下方向の全体に亘って延びている。一方、内側面突部１９は、長側壁１２の内側面から段付き状に突出し、長側壁１２の下端から上端寄り位置に亘る台座構造をなしている。そして、内側面凹部１８の幅が下方に向かうに従って徐々に狭くなる一方、内側面突部１９の幅は、上方に向かうに従って徐々に狭くなっている。また、内側面突部１９の上面内縁部からは、上面突部１９Ｔが突出している。
【００２７】
図２に示すように、長側壁１２の外側面においては、内側面凹部１８の裏側部分が側方に突出する外側面突部１７をなす一方、内側面突部１９の裏側部分が、長側壁１２全体の外側面から陥没した外側面凹部１６になっている。また、外側面突部１７の下面からは、角筒状の下端筒部１７Ａが突出している。さらに、外側面凹部１６の内面上部とフランジ１３の下面との間を接続するように当接リブ１６Ｔが形成されている。
【００２８】
図１に示すように、１対の短側壁１１，１１の内側面からは、後に詳説する第１及び第２の端部位置決部３１，３２の側面突部４０が段付き状に突出している。側面突部４０は、短側壁１１の下端から上端寄り位置に亘って形成され、その側面突部４０が第２水平方向Ｈ２の複数箇所で分断されて前述した内側面凹部１８が形成されると共に、側面突部４０の一部が第２水平方向Ｈ２の複数箇所でさらに土手部２０側に突出して前述した内側面突部１９が形成されている。そして、一方の短側壁１１の内側面凹部１８と他方の短側壁１１の内側面突部１９とが第１水平方向Ｈ１と正対し、一方の短側壁１１の内側面突部１９と他方の短側壁１１の内側面凹部１８とが第１水平方向Ｈ１と正対するように配置されている。なお、短側壁１１の複数の内側面突部１９には、上面突部１９Ｔを有するものと、そうでないものとが混在している。
【００２９】
図２に示すように、短側壁１１においても内側面凹部１８及び内側面突部１９の裏側に、外側面突部１７と外側面凹部１６とが形成されている。なお、短側壁１１においては、当接リブ１６Ｔは、外側面凹部１６からずれた位置に配置されている。
【００３０】
上記の構成により、図５に示すように下段側のワーク搬送具１０に対して上段側のワーク搬送具１０を１８０度旋回させて段積みすると、下段側のワーク搬送具１０の内側面突部１９上に、上段側のワーク搬送具１０の外側面突部１７が載置されてスタッキング状態になる。このとき、外側面突部１７の下端筒部１７Ａと内側面突部１９の上面突部１９Ｔとが係合して上下のワーク搬送具１０，１０同士の横ずれが防がれる。
【００３１】
一方、図６に示すように、上下のワーク搬送具１０，１０を同じ向きにして段積みすると、下段側のワーク搬送具１０の内側面凹部１８に、上段側のワーク搬送具１０の外側面突部１７が受容されると共に、下段側のワーク搬送具１０の内側面突部１９（図２参照）が上段側のワーク搬送具１０の外側面凹部１６（図１参照）に受容され、さらに、上段側のワーク搬送具１０の当接リブ１６Ｔの下縁部が、下段側のワーク搬送具１０のフランジ１３に当接して、ネスティング状態になる。
【００３２】
なお、前述した土手部２０と第１及び第２の支持土手部２１，２２（図１参照）の裏側は空洞部２０Ｓ，２１Ｓ，２２Ｓ（図２参照）になっていて、ネスティング状態になると、下段側のワーク搬送具１０の土手部２０等が上段側のワーク搬送具１０の空洞部２０Ｓ等に受容される。また、ワーク搬送具１０の下面のうち第１及び第２の支持土手部２１，２２の間部分には、第１水平方向Ｈ１に延びるフランジ干渉回避溝１４Ａ（図２参照）が形成されている。フランジ干渉回避溝１４Ａは、ワーク搬送具１０の底壁１４の一部をバレル状に上方に膨出させてなる。そして、図７に示すようにワーク９０を収容した状態のワーク搬送具１０，１０をスタッキング状態に段積みしたときに、下段側のワーク搬送具１０のワーク９０のフランジ９３の上部が、上段側のワーク搬送具１０のフランジ干渉回避溝１４Ａに受容される。
【００３３】
さて、図８に示すように、本実施形態のワーク搬送具１０は、上面全体にシート８０が敷かれて、その上から複数のワーク９０が嵌合部３０に受容される方法で使用されることがある。これに対し、嵌合部３０の第１及び第２の端部位置決部３１，３２は、そのような使用方法に適した構造をなしている。以下、第１及び第２の端部位置決部３１，３２について詳説する。
【００３４】
短側壁１１の第１端部位置決部３１は、図９及び図１０（Ａ）に示すように、前述した側面突部４０と、側面突部４０を第１水平方向Ｈ１に貫通する溝部４９と、溝部４９の一端を閉塞する短側壁１１の内側面の一部である溝端部面４５とを備えてなる。そして、ワーク９０の第１端部９１が溝部４９に受容され、第１端部９１の端面９１Ｔが溝端部面４５と対向する。その溝端部面４５の幅方向の中央には、上下方向の延びる第１逃がし溝４７が陥没形成され、溝端部面４５のうち第１逃がし溝４７の両側に残された部分が第１位置決部４６，４６になっている。
【００３５】
また、第１逃がし溝４７は、フランジ１３の上端から溝部４９の溝底面４８に亘って上下方向に延び、その溝幅は、１対の対向面４１，４１より僅かに小さくなっていると共に、下方に向かうに従って徐々に幅狭になっている。さらに、第１逃がし溝４７の断面は円弧状をなし、第１逃がし溝４７の両側縁部と第１位置決部４６との間の角部は、円弧状に面取りされている。
【００３６】
溝部４９内の１対の対向面４１，４１は、下方に向かうに従って互いに接近するように傾斜している。各対向面４１には、短側壁１１の内側面側の縁部を段付き状に陥没させて第２逃がし溝４３が形成され、対向面４１のうち第２逃がし溝４３以外の部分が第２位置決部４２になっている。また、第２逃がし溝４３は、下方に向かうに徐々に幅狭になる一方、第２位置決部４２は上方に向かうに徐々に幅狭になっている。さらに、第２位置決部４２，４２同士は、溝端部面４５側に向かうに従って互いに接近するように僅かに傾斜している。また、第２逃がし溝４３の下端部は開口していて第２逃がし溝４３の内面が溝部４９の溝底面４８に接続されている。その溝底面４８は、緩やかな丸みを帯びて凹んでいる。
【００３７】
なお、本実施形態では、第１逃がし溝４７が、特許請求の範囲に記載された「第１逃がし部」に相当し、第２逃がし溝４３が、特許請求の範囲に記載された「第２逃がし部」に相当する。また、溝底面４８全体が、特許請求の範囲に記載された「第３逃がし部」になっている。
【００３８】
短側壁１１の複数の第１端部位置決部３１には、第１区画エリアＲ１のワーク９０の第１端部９１が受容される。それら第１端部位置決部３１に第１端部９１が受容されると、第２水平方向Ｈ２の両側から第２位置決部４２，４２が第１端部９１の側面に当接するか隣接し、第１水平方向Ｈ１の一方側から第１位置決部４６，４６が第１端部９１の端面９１Ｔに当接するか隣接して、第１端部９１が三方から位置決めされる。この状態で、第１端部９１の端面９１Ｔと第１逃がし溝４７の内面との間に空間が形成されると共に、第１端部９１の側面と第２逃がし溝４３の内面との間に空間が形成される。また、ワーク９０は、第１及び第２の中間軸部９４，９５を、第１及び第２の中間支持部３４，３５によって下方から支持されて、図１５の右側に示すように、第１端部９１が第１端部位置決部３１の溝底面４８から浮いた状態に保持される。これにより、溝底面４８と第１端部９１の側面との間にも空間が形成され、その空間に第１逃がし溝４７及び第２逃がし溝４３による空間が連通する。そして、図１０（Ｂ）に示すように、シート８０が第１端部９１によって短側壁１１の第１端部位置決部３１に押し込まれたときには、そのシート８０の一部（同図の符号８１参照）が上記第１逃がし溝４７，第２逃がし溝４３、溝底面４８によって第１端部９１との間に形成される空間に緩く収容される。
【００３９】
図１１及び図１２には、短側壁１１の第２端部位置決部３２の詳細が示されている。短側壁１１の第２端部位置決部３２は、前述の短側壁１１の第１端部位置決部３１より溝部４９の溝幅が広くなっているが、基本構造は同じになっている。そこで、第１端部位置決部３１と同じ構造の部位には、同一符号を付して重複した説明は省略する。短側壁１１の複数の第２端部位置決部３２には、第２区画エリアＲ２のワーク９０の第２端部９２が受容される。
【００４０】
図１６の左側に示すように、第２端部位置決部３２では、溝底面４８が第２端部９２と当接する。それ以外は、第１端部位置決部３１による第１端部９１の位置決めと同様に、第２端部位置決部３２が第２端部９２を位置決めする。そして、図１２（Ｂ）に示すようにシート８０が第２端部９２によって短側壁１１の第２端部位置決部３２に押し込まれたときに、第２端部位置決部３２の第１逃がし溝４７及び第２逃がし溝４３によって第２端部９２との間に形成される空間にシート８０の一部（符号８１参照）が緩く収容される。
【００４１】
図１３及び図１４（Ａ）には、土手部２０の第１及び第２の端部位置決部３１，３２の詳細構造が示されている。同図に示すように土手部２０には、第１水平方向Ｈ１に貫通する第１ワーク受容溝５１と第２ワーク受容溝５２とが第２水平方向Ｈ２に交互に並べられている。第１及び第２のワーク受容溝５１，５２は、第１水平方向Ｈ１の途中に段差部を有し、段差部より一端側と他端側とで溝幅が異なっている。そして、第１ワーク受容溝５１の幅広部は、第２区画エリアＲ２側に位置する一方、第２ワーク受容溝５２の幅広部は、第１区画エリアＲ１側に位置している。
【００４２】
また、第１ワーク受容溝５１全体の溝幅より第２ワーク受容溝５２全体の溝幅の方が広くなっている。そして、土手部２０のうち第１ワーク受容溝５１が形成された部分が第２区画エリアＲ２の第１端部位置決部３１をなす一方、第２ワーク受容溝５２が形成された部分が第１区画エリアＲ１の第２端部位置決部３２をなしている。即ち、第１及び第２のワーク受容溝５１，５２の各幅広部分の内側には、前述した第２位置決部４２と第２逃がし溝４３とからなる対向面４１と溝底面４８とが形成されている。また、第１及び第２のワーク受容溝５１，５２の幅狭部分と幅広部分との間の段差面が前述した短側壁１１の第１端部位置決部３１及び第２端部位置決部３２の溝端部面４５に相当し、第１及び第２のワーク受容溝５１，５２の幅狭部分の内側が前述した第１逃がし溝４７をなして段差面の中央に開口している。そして、段差面のうち第１逃がし溝４７の両側部分が第１位置決部４６，４６になっている。
【００４３】
土手部２０の第２端部位置決部３２には、第１区画エリアＲ１内のワーク９０の第２端部９２が受容される一方、土手部２０の第１端部位置決部３１には、第２区画エリアＲ２内のワーク９０の第１端部９１が受容される。そして、上述した短側壁１１の第１及び第２の端部位置決部３１，３２と同様に第１端部９１及び第２端部９２を位置決めすると共にシート８０の一部８１（図１４（Ｂ）参照）を収容する空間が第１端部９１及び第２端部９２との間に形成される。
【００４４】
本実施形態のワーク搬送具１０の構成に関する説明は以上である。次ぎに、このワーク搬送具１０の作用効果について説明する。図８に示すように、本実施形態のワーク搬送具１０の上面全体にシート８０を敷設し、各第１及び第２の区画エリアＲ１，Ｒ２の第２水平方向Ｈ２の一端側から他端側に向かって順番に嵌合部３０にワーク９０を嵌合していくと、シート８０が部分的に嵌合部３０に押し込まれていく。このとき、第１及び第２の端部位置決部３１，３２では、ワーク９０の側面と端面９１Ｔ，９２Ｔとが交差する角部（以下、「端面角部」という）に沿うようにシート８０が折られ、例えば、シート８０の一部が重なり合って襞が形成される。そして、襞となり厚くなった部分が第１及び第２の端部位置決部３１，３２の上部とワーク９０との間に保持された状態でワーク９０がさらに下方に押されると、シート８０のうちワーク９０の端面角部に押される部分に負荷が集中して破断することにもなり得る。
【００４５】
これに対し、本実施形態のワーク搬送具１０では、第１位置決部４６の横方向の中央部分に第１逃がし溝４７が形成されてそこにシート８０の一部が緩く受容されるので、第１及び第２の端部位置決部３１，３２の上部とワーク９０とによるシート８０に対する保持力が低減される。また、第２位置決部４２，４２のうち第１位置決部４６側の縁部に形成された第２逃がし溝４３にもシート８０の一部が緩く受容され、シート８０に対する保持力がさらに低減されて負荷が抑えられる。さらには、第１端部位置決部３１の溝底面４８全体とワーク９０との間に空間が形成され、そこにもシート８０の一部が緩く受容されるので、シート８０に対する保持力がさらに低減されて負荷が抑えられる。しかも、溝底面４８とワーク９０との間の空間は、第２逃がし溝４３及び第１逃がし溝４７内の空間と連通するので、それらの間でシート８０の一部は容易に移動することができる。これらにより、シート８０がワーク９０の端面角部によって押されるときの負荷が緩和され、シート８０が破断し難くなる。また、第１及び第２の逃がし溝４３，４７は、第１及び第２の端部位置決部３１，３２の上面に開口しているので、第１及び第２の逃がし溝４３，４７に受容されているシート８０の一部を第１及び第２の逃がし溝４３，４７の上面開口から上方に引き出して自由に取り廻して、例えば、ワーク９０の上にシート８０を容易に重ねることができる。
【００４６】
また、本実施形態のワーク搬送具１０は、全体が上面開放の箱形容器構造をなし、その短側壁１１及び長側壁１２の内面から突出する側面突部４０に第１及び第２の端部位置決部３１，３２が形成されるので、箱形容器構造のワーク搬送具１０をコンパクトにすることができる。さらに、第１と第２の区画エリアＲ１，Ｒ２の間を仕切る土手部２０に、それら区画エリアＲ１，Ｒ２の第１及び第２の端部位置決部３１，３２が交互に並ぶので、この点によってもワーク搬送具１０をコンパクトにすることができる。
【００４７】
［第２実施形態］
以下、図１７〜図２０に示されたワーク搬送具１０Ｖの実施形態について説明する。前記第１実施形態のワーク搬送具１０は、土手部２０によって内部を第１と第２の区画エリアＲ１，Ｒ２に区画されていたが、図１７に示すように、本実施形態のワーク搬送具１０Ｖは、土手部２０に相当するものはなく、複数の嵌合部３０Ｖが１対の短側壁１１，１１の間に横並びに配置されて、それら各嵌合部３０Ｖの両端の端部位置決部３１Ｖ，３１Ｖが１対の長側壁１２，１２に一体形成された構造をなしている。
【００４８】
また、各嵌合部３０Ｖに嵌合されるワークは、図示しないが両端部が同一外径の円柱状又は円筒状をなしている。これに対応して、図１８に示すように、嵌合部３０Ｖの両端の端部位置決部３１Ｖ，３１Ｖは、同一形状の溝部４９を有する。また、図１９に示すように、溝部４９の溝底面４８は、円弧状をなし、ワークは両端部を溝底面４８に支持されて、ワーク搬送具１０Ｖの底壁１４から浮いた状態に保持される。そして、溝底面４８の両側部から斜め上方に立ち上がる１対の第２位置決部４２，４２にてワークが両側方から挟まれ、長側壁１２の内側面にワークの端面が対向するようになっている。また長側壁１２のうちワークの端面との対向位置に第１逃がし溝４７と第１位置決部４６とが備えられている。さらに、溝部４９の内面のうち長側壁１２の内側面側の縁部全体が陥没して第２逃がし溝４３になっている。
【００４９】
なお、本実施形態のワーク搬送具１０Ｖも、図１７及び図２０に示すように、内側面凹部１８、内側面突部１９、外側面突部１７等を有して、スタッキング状態とネスティング状態との任意の状態で段積み可能になっている。
【００５０】
［他の実施形態］
【００５１】
（１）前記第１実施形態のワーク９０の端部は、断面円形をなしていたが、断面楕円形、断面多角形であってもよい。また、ワークの端部は中実構造でも中空構造でもよい。また、ワークは、クランク状に屈曲して略水平に延びていてもよい。
【００５２】
（２）前記第１実施形態の嵌合部３０では、溝端部面４５の中央に第１逃がし溝４７が形成されてその両側に第１位置決部４６，４６が配置されていたが、例えば、第１位置決部４６と第１逃がし溝４７とを溝端部面４５の左右の一方側と他方側とに分けて配置してもよい。
【００５３】
（３）前記第１及び第２の実施形態の嵌合部３０，３０Ｖは、容器構造をなして内部にワーク９０を収容する構造であったが、トレイ構造のワーク搬送具の嵌合部に上記第１又は第２の実施形態で説明した構造の一部又は全部を適用してもよい。また、箱体の内部に収容されてワークを保持するワーク搬送具に上記第１又は第２の実施形態で説明した構造の一部又は全部を適用してもよい。
【符号の説明】
【００５４】
１０，１０Ｖ    ワーク搬送具
１１，１２    側壁
１４    底壁
２０    土手部
３０，３０Ｖ    嵌合部
３１    第１端部位置決部
３１Ｖ  端部位置決部
３２    第２端部位置決部
４０    側面突部
４２    第２位置決部
４３    第２逃がし溝（第２逃がし部）
４６    第１位置決部
４７    第１逃がし溝（第１逃がし部）
４８    溝底面
４９    溝部
８０    シート
９０    ワーク
９１Ｔ，９２Ｔ    端面
Ｒ１    第１区画エリア
Ｒ２    第２区画エリア
【図１】
2020011761.tif 000003
【図２】
2020011761.tif 000004
【図３】
2020011761.tif 000005
【図４】
2020011761.tif 000006
【図５】
2020011761.tif 000007
【図６】
2020011761.tif 000008
【図７】
2020011761.tif 000009
【図８】
2020011761.tif 000010
【図９】
2020011761.tif 000011
【図１０】
2020011761.tif 000012
【図１１】
2020011761.tif 000013
【図１２】
2020011761.tif 000014
【図１３】
2020011761.tif 000015
【図１４】
2020011761.tif 000016
【図１５】
2020011761.tif 000017
【図１６】
2020011761.tif 000018
【図１７】
2020011761.tif 000019
【図１８】
2020011761.tif 000020
【図１９】
2020011761.tif 000021
【図２０】
2020011761.tif 000022